(57)【要約】【課題】ＮＦＣを利用することで、簡単な操作により、２つ以上の複数台の携帯情報機器間で、ＢＴ等の第２の無線システムによる無線接続を確立することを目的とする。【解決手段】リスト情報記憶装置１００（ＩＣカード）のリスト情報１９０には、相互通信を行うグループの各通信端末２００のＢＴアドレスが格納されている。ＩＣカードであるリスト情報記憶装置１００を通信端末Ａ２００Ａにかざす（接近させる）と、ＩＣカードリーダ２６０Ａがリスト情報１９０を読み込み、グループとなるべき通信端末２００のＢＴアドレスのリストを得る。通信端末Ａ２００Ａは、リスト情報１９０を読み取るとＢＴ通信部２７０Ａが備えるｉｎｑｕｉｒｙコマンドを発行し、近傍にあるＢＴ通信可能な通信端末２００を捜査する。リスト情報１９０にある通信端末を発見すると、その通信端末２００にＢＴ接続を行い、通信接続を確立する。【選択図】図４
2008153911.tif 000002
【特許請求の範囲】
【請求項１】
リスト情報記憶装置と複数の通信端末とを備える通信システムにおいて、
上記リスト情報記憶装置は、
相互通信を行う複数の通信端末の情報をリスト情報として記憶装置に記憶するリスト情報記憶部と、
第１通信装置により第１通信方法で上記複数の通信端末のいずれかの通信端末と通信する機器通信部とを備え、
上記複数の通信端末の各通信端末は、
上記リスト情報記憶装置と上記機器通信部を介して第１通信方法で通信し、上記リスト情報記憶部が記憶したリスト情報を読取装置により読み取る第１通信部と、
上記第１通信部が読み取ったリスト情報が示す通信端末との通信接続を第２通信装置により上記第１通信方法と異なる第２通信方法で確立する第２通信部と
を備えることを特徴とする通信システム。
【請求項２】
上記各通信端末は、さらに、
上記リスト情報が示す通信端末が第２通信方法で通信可能であるか否かを処理装置により判定する通信判定部を備え、
上記第２通信部は、通信可能であると上記通信判定部が判定した場合、上記第２通信方法で上記通信端末との通信接続を確立する
ことを特徴とする請求項１記載の通信システム。
【請求項３】
上記第１通信部は、通信端末毎に順位付けされたリスト情報を読み取り、
上記第２通信部は、上記第２通信方法で通信可能状態とするとともに、上記リスト情報において自端末が最上位に順位付けされている場合、上記第２通信方法で上記リスト情報が示す通信端末との通信接続を確立する
ことを特徴とする請求項１記載の通信システム。
【請求項４】
上記第１通信部は、上記リスト情報を読み出すとともに、自端末の情報を上記リスト情報記憶部が記憶したリスト情報に書込装置により追加し、
上記第２通信部は、上記第２通信方法で上記第１通信部が読み取ったリスト情報が示す通信端末との通信接続を確立し、
上記各通信端末は、さらに、
他の通信端末により上記第２通信方法で通信接続が確立された場合、自ら確立した上記第２通信方法での通信接続を処理装置により切断する第２通信切断部
を備えることを特徴とする請求項１記載の通信システム。
【請求項５】
上記リスト情報記憶部は、通信接続を確立する主体となる通信端末が決定されたか否かを示す識別情報を付与したリスト情報を記憶し、
上記第１通信部は、上記識別情報が付与された上記リスト情報を読み出し、
上記第２通信部は、上記第２通信方法で通信可能状態とするとともに、通信接続を確立する通信端末が決定されていないと上記第１通信部が読み出したリスト情報に付与された識別情報が示す場合、上記第２通信方法で上記リスト情報が示す他の通信端末との通信接続を確立する
ことを特徴とする請求項１記載の通信システム。
【請求項６】
上記リスト情報記憶装置は、さらに、
上記リスト情報を上記第１通信部が読み取った際、通信接続を確立する主体となる通信端末が決定されていないと上記リスト情報に付与された識別情報が示す場合、通信接続を確立する主体となる通信端末が決定されたことを示す識別情報に上記リスト情報記憶部が記憶したリスト情報に付与された識別情報を変更する識別情報変更部
を備えることを特徴とする請求項５記載の通信システム。
【請求項７】
上記第１通信部は、上記識別情報が付与されたリスト情報を読み出すとともに、通信接続を確立する主体となる通信端末が決定されていないと読み出したリスト情報に付与された識別情報が示す場合、通信接続を確立する主体となる通信端末が決定されたことを示す識別情報に上記リスト情報記憶部が記憶したリスト情報に付与された識別情報を変更する
ことを特徴とする請求項５記載の通信システム。
【請求項８】
上記通信システムは、さらに、上記リスト情報記憶装置と通信するリスト登録装置を備え、
上記リスト登録装置は、
リスト情報を上記リスト情報記憶装置へ第３通信装置により送信するリスト情報送信部を備え、
上記リスト情報記憶装置は、さらに、
上記リスト情報送信部が送信したリスト情報を第３通信装置により受信するリスト情報受信部を備え、
上記リスト情報記憶部は、上記リスト情報受信部が受信したリスト情報を記憶する
ことを特徴とする請求項１記載の通信システム。
【請求項９】
上記第２通信部は、第２通信方法としてＢｌｕｅｔｏｏｔｈ（登録商標）又は無線ＬＡＮ（Ｌｏｃａｌ  Ａｒｅａ  Ｎｅｔｗｏｒｋ）で通信接続を確立する
ことを特徴とする請求項１記載の通信システム。
【請求項１０】
リスト情報記憶装置と複数の通信端末とを備える通信システムにおいて、
上記リスト情報記憶装置は、
相互通信を行う端末のリスト情報を記憶装置に記憶するリスト情報記憶部と、
第１通信装置により第１通信方法で上記複数の通信端末のいずれかの通信端末と通信する機器通信部と、
上記機器通信部を介して上記所定の通信端末と通信し、上記リスト情報記憶部が記憶したリスト情報を上記通信端末の記憶装置へ書込みするリスト情報書込み部とを備え、
上記複数の通信端末の各通信端末は、
上記機器通信部と第１通信装置により第１通信方法で通信する第１通信部と、
上記第１通信部を介して上記リスト情報書込み部により上記リスト情報を記憶装置に書込みされたことを認識する書込認識部と、
リスト情報が記憶されたことを上記書込認識部が認識した場合、第２通信装置により第２通信方法で上記リスト情報が示す端末との通信接続を確立する第２通信部と
を備えることを特徴とする通信システム。
【請求項１１】
相互通信を行う端末のリスト情報を記憶するリスト情報記憶装置と第１通信方法で通信し、上記リスト情報を読取装置により読み取る第１通信部と、
通信装置により第２通信方法で上記第１通信部が読み取ったリスト情報が示す端末との通信接続を確立する第２通信部と
を備えることを特徴とする通信端末。
【請求項１２】
上記通信端末は、さらに、
上記端末が第２通信方法で通信可能であるか否かを処理装置により判定する通信判定部を備え、
上記第２通信部は、通信可能であると上記通信判定部が判定した場合、上記第２通信方法で上記端末との通信接続を確立する
ことを特徴とする請求項１１記載の通信端末。
【請求項１３】
上記第１通信部は、端末毎に順位付けされたリスト情報を読み取り、
上記第２通信部は、上記第２通信方法で通信可能状態とするとともに、上記リスト情報において自端末が最上位に順位付けされている場合、上記第２通信方法で上記リスト情報が示す端末との通信接続を確立する
ことを特徴とする請求項１１記載の通信端末。
【請求項１４】
上記第１通信部は、上記リスト情報を読取装置により読み出すとともに、自端末の情報を上記リスト情報に書込装置により追加し、
上記第２通信部は、上記第２通信方法で上記第１通信部が読み取ったリスト情報が示す端末との通信接続を確立し、
上記所定の通信端末は、さらに、
他の通信端末により上記第２通信方法で通信接続が確立された場合、自ら確立した上記第２通信方法での通信接続を切断する第２通信切断部
を備えることを特徴とする請求項１１記載の通信端末。
【請求項１５】
上記第１通信部は、通信接続を確立する主体となる端末が決定されたか否かを示す識別情報を付与されたリスト情報を読み出し、
上記第２通信部は、上記第２通信方法で通信可能状態とするとともに、通信接続を確立する主体となる端末が決定されていないと読み出したリスト情報に付与された識別情報が示す場合、上記第２通信方法で上記リスト情報が示す他の端末との通信接続を確立する
ことを特徴とする請求項１１記載の通信端末。
【請求項１６】
上記第１通信部は、通信接続を確立する主体となる端末が決定されていないと識別情報が示す場合、通信接続を確立する主体となる通信端末が決定されたことを示す識別情報に上記リスト情報記憶装置が記憶したリスト情報に付与された識別情報を変更する
ことを特徴とする請求項１５記載の通信端末。
【請求項１７】
リスト情報記憶装置と第１通信装置により第１通信方法で通信する第１通信部と、
上記第１通信部を介して上記リスト情報記憶装置により相互通信を行う端末のリスト情報を記憶装置に書込みされたことを認識する書込認識部と、
リスト情報が記憶されたことを上記書込認識部が認識した場合、第２通信装置により第２通信方法で上記リスト情報が示す端末との通信接続を確立する第２通信部と
を備えることを特徴とする通信端末。
【請求項１８】
相互通信を行う複数の通信端末の情報をリスト情報として記憶装置に記憶するリスト情報記憶部と、
第１通信装置により第１通信方法で上記複数の通信端末のいずれかの通信端末と通信し、上記リスト情報記憶部が記憶したリスト情報を上記通信端末に読み取らせるとともに、上記リスト情報が示す通信端末との通信接続を上記第１通信方法と異なる第２通信方法で上記通信端末に確立させる機器通信部と
を備えることを特徴とするリスト情報記憶装置。
【請求項１９】
相互通信を行う複数の通信端末の情報をリスト情報として記憶装置に記憶するリスト情報記憶部と、
第１通信装置により第１通信方法で上記複数の通信端末のいずれかの通信端末と通信する機器通信部と、
上記機器通信部を介して上記通信端末と通信し、上記リスト情報記憶部が記憶したリスト情報を上記通信端末の記憶装置へ書込みし、上記リスト情報が示す通信端末との通信接続を第２通信装置により上記第１通信方法と異なる第２通信方法で上記通信端末に確立させるリスト情報書込み部と
を備えることを特徴とするリスト情報記憶装置。
【請求項２０】
リスト情報記憶装置と複数の通信端末とを備える通信システムの通信方法において、
上記リスト情報記憶装置と上記複数の通信端末の所定の通信端末とが第１通信方法で通信し、上記リスト情報記憶装置が記憶した相互通信を行う通信端末のリスト情報を上記所定の通信端末が読み取る第１通信ステップと、
上記所定の通信端末が、第２通信方法で上記第１通信ステップで読み取ったリスト情報が示す通信端末との通信接続を確立する第２通信ステップと
を備えることを特徴とする通信方法。
【請求項２１】
リスト情報記憶装置と複数の通信端末とを備える通信システムの通信プログラムにおいて、
上記リスト情報記憶装置と上記複数の通信端末の所定の通信端末とが第１通信方法で通信し、上記リスト情報記憶装置が記憶した相互通信を行う通信端末のリスト情報を上記所定の通信端末が読み取る第１通信処理と、
上記所定の通信端末が、第２通信方法で上記第１通信処理で読み取ったリスト情報が示す通信端末との通信接続を確立する第２通信処理と
をコンピュータに実行させることを特徴とする通信プログラム。
【発明の詳細な説明】
【技術分野】
【０００１】
本発明は、例えば、Ｂｌｕｅｔｏｏｔｈ（登録商標，以下ＢＴ）や無線ＬＡＮ（Ｌｏｃａｌ  Ａｒｅａ  Ｎｅｔｗｏｒｋ）等の通信接続を通信端末間で確立する技術に関する。
【背景技術】
【０００２】
携帯情報機器の普及に伴い、携帯情報機器に有線や無線の通信機能が搭載されるようになってきている。特開２００４−１２０７３６号公報には情報機器間でコンテンツ情報の共有に関する技術が開示されている。また、近年非接触ＩＣ（Ｉｎｔｅｇｒａｔｅｄ  Ｃｉｒｃｕｉｔ）カードとリーダライタによるＮＦＣ（Ｎｅａｒ  Ｆｉｅｌｄ  Ｃｏｍｍｕｎｉｃａｔｉｏｎ）を搭載する例も散見される。特開２００４−３６４１４５にはＮＦＣとＢＴを搭載したデバイスで、ＮＦＣにてＢＴの通信に必要な情報を事前交換しＢＴによるピアツーピア通信を行う技術が開示されている。
【特許文献１】特開２００４−１２０７３６号公報
【特許文献２】特開２００４−３６４１４５号公報
【発明の開示】
【発明が解決しようとする課題】
【０００３】
本発明は、例えば、ＮＦＣを利用し、簡単な操作により、２つ以上の複数台の携帯情報機器間で、ＢＴ等の第２の無線システムによる無線接続を確立することを目的とする。
【課題を解決するための手段】
【０００４】
本発明に係る通信システムによれば、リスト情報記憶装置と複数の通信端末とを備える通信システムにおいて、
上記リスト情報記憶装置は、
相互通信を行う複数の通信端末の情報をリスト情報として記憶装置に記憶するリスト情報記憶部と、
第１通信装置により第１通信方法で上記複数の通信端末のいずれかの通信端末と通信する機器通信部とを備え、
上記複数の通信端末の各通信端末は、
上記リスト情報記憶装置と上記機器通信部を介して第１通信方法で通信し、上記リスト情報記憶部が記憶したリスト情報を読取装置により読み取る第１通信部と、
上記第１通信部が読み取ったリスト情報が示す通信端末との通信接続を第２通信装置により上記第１通信方法と異なる第２通信方法で確立する第２通信部と
を備えることを特徴とする。
【発明の効果】
【０００５】
本発明に係る通信システムによれば、ＮＦＣを利用してＩＣカード等に記憶したリスト情報を第１通信部が取得することで、リスト情報が示す他の通信端末とＢＴ等による通信接続を、リスト情報を取得した通信端末の第２通信部が確立することが可能である。つまり、本発明に係る通信システムによれば、ＮＦＣを利用することで、簡単な操作により、２つ以上の複数台の携帯情報機器間で、ＢＴ等の第２の無線システムによる無線接続を確立することができる。
【発明を実施するための最良の形態】
【０００６】
図１は、実施の形態における通信システム１の外観の一例を示す図である。
図１において、通信システム１は、ＩＣカード９０６、携帯電話Ａ９０７Ａ、携帯電話Ｂ９０７Ｂ、ＰＤＡ９０８（Ｐｅｒｓｏｎａｌ  Ｄｉｇｉｔａｌ  Ａｓｓｉｓｔａｎｔｓ、登録商標）、ＰＣ９０９（Ｐｅｒｓｏｎａｌ  Ｃｏｍｐｕｔｅｒ）を備える。ＩＣカード９０６と携帯電話Ａ９０７Ａ、携帯電話Ｂ９０７Ｂ、ＰＤＡ（登録商標）９０８及びＰＣ９０９とは、第１通信方法１０により通信可能である。また、携帯電話Ａ９０７Ａ、携帯電話Ｂ９０７Ｂ、ＰＤＡ（登録商標）９０８及びＰＣ９０９は、相互に第２通信方法２０により通信可能である。
ここで、第１通信方法１０とは、例えば、ＩＣカードとリーダライタによるＮＦＣである。第２通信方法２０とは、例えば、ＢＴや無線ＬＡＮによる通信である。
また、ＩＣカード９０６は、リスト情報記憶装置１００の一例である。さらに、携帯電話Ａ９０７Ａ、携帯電話Ｂ９０７Ｂ、ＰＤＡ（登録商標）９０８及びＰＣ９０９は、通信端末２００の一例である。
【０００７】
図２は、実施の形態におけるリスト情報記憶装置１００のハードウェア資源の一例を示す図である。
図２において、リスト情報記憶装置１００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、通信ボード９１５と接続され、これらのハードウェアデバイスを制御する。リスト情報記憶装置１００は、さらに、ＬＣＤ９０１、キーボード９０２、磁気ディスク装置９２０等を備えていても構わない。
【０００８】
図３は、実施の形態における通信端末２００、リスト情報登録装置３００のハードウェア資源の一例を示す図である。
図３において、通信端末２００、リスト情報登録装置３００は、プログラムを実行するＣＰＵ９１１を備えている。ＣＰＵ９１１は、バス９１２を介してＲＯＭ９１３、ＲＡＭ９１４、通信ボード９１５、ＬＣＤ９０１、キーボード９０２、磁気ディスク装置９２０と接続され、これらのハードウェアデバイスを制御する。
【０００９】
ＲＡＭ９１４は、揮発性メモリの一例である。ＲＯＭ９１３、磁気ディスク装置９２０の記憶媒体は、不揮発性メモリの一例である。これらは、記憶装置の一例である。
通信ボード９１５、キーボード９０２などは、入力装置の一例である。
ＬＣＤ９０１は、表示装置の一例である。
【００１０】
通信ボード９１５は、ＮＦＣやＢＴ等を行う機器である。通信ボード９１５は、第１通信装置、第２通信装置の一例である。
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００１１】
上記プログラム群９２３には、以下に述べる実施の形態の説明において「〜部」として説明する機能を実行するプログラムがそれぞれ記憶されている。プログラムは、ＣＰＵ９１１により読み出され実行される。
ファイル群９２４には、以下に述べる実施の形態の説明において、「リスト情報」、「〜判定」として説明する情報やデータや信号値や変数値やパラメータが、「ファイル」や「データベース」の各項目として記憶されている。「ファイル」や「データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵ９１１の動作に用いられる。抽出・検索・参照・比較・演算・計算・処理・出力・印刷・表示のＣＰＵ９１１の動作の間、情報やデータや信号値や変数値やパラメータは、メインメモリやキャッシュメモリやバッファメモリに一時的に記憶される。
また、以下に述べる実施の形態の説明において説明するフローチャートの矢印の部分は主としてデータや信号の入出力を示し、データや信号値は、ＲＡＭ９１４のメモリ、ＦＤＤ９０４のフレキシブルディスク、コンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｃ）等の記録媒体に記録される。また、データや信号は、バス９１２や信号線やケーブルその他の伝送媒体によりオンライン伝送される。
【００１２】
また、以下に述べる実施の形態の説明において「〜部」として説明するものは、「〜回路」、「〜装置」、「〜機器」、「〜手段」であってもよく、また、「〜ステップ」、「〜手順」、「〜処理」であってもよい。すなわち、「〜部」として説明するものは、ＲＯＭ９１３に記憶されたファームウェアで実現されていても構わない。さらに、「〜処理」として説明するものは「〜ステップ」であって、「〜ステップ」として説明するものは「〜処理」であってもよい。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、以下に述べる「〜部」としてコンピュータを機能させるものである。あるいは、以下に述べる「〜部」の手順や方法をコンピュータに実行させるものである。
【００１３】
実施の形態１．
まず、図４に基づき、実施の形態１に係る通信システム１の概要を説明する。図４は、実施の形態１に係る通信システム１の概要を示す図である。
リスト情報記憶装置１００（ＩＣカード）のリスト情報１９０には、相互通信を行うグループの各通信端末２００のＢＴアドレスが格納されている。通信端末Ａ２００ＡにはＩＣカードリーダ２６０Ａ（第１通信装置２６０の一例）、ＢＴ通信を行うＢＴ通信部２７０Ａ（第２通信装置２７０の一例）が搭載されている。同様に、通信端末Ｂ２００ＢにはＩＣカードリーダ２６０Ｂ（第１通信装置２６０の一例）、ＢＴ通信部２７０Ｂ（第２通信装置２７０の一例）が搭載され、通信端末Ｃ２００ＣにはＩＣカードリーダ２６０Ｃ（第１通信装置２６０の一例）、ＢＴ通信部２７０Ｃ（第２通信装置２７０の一例）が搭載されている。ここで、ＩＣカードであるリスト情報記憶装置１００を通信端末Ａ２００Ａにかざす（接近させる）と、ＩＣカードリーダ２６０Ａがリスト情報１９０を読み込み、グループとなるべき通信端末２００のＢＴアドレスのリストを得る。
通信端末Ａ２００Ａは、リスト情報１９０を読み取るとＢＴ通信部２７０Ａが備えるｉｎｑｕｉｒｙコマンドを発行し、近傍にあるＢＴ通信可能な通信端末２００を捜査する。通信端末Ａ２００Ａは、読み込んだリスト情報１９０にあるＢＴアドレスの通信端末２００を発見した場合、その通信端末２００にＢＴ接続を行い、通信接続を確立する。例えば、図４では、通信端末Ｂ２００Ｂと通信端末Ｃ２００Ｃとがリスト情報１９０にあり、通信端末Ｂ２００Ｂと通信端末Ｃ２００Ｃとがｉｎｑｕｉｒｙコマンドに応答したとする。この場合、通信端末Ａ２００Ａは、通信端末Ｂ２００Ｂと通信端末Ｃ２００ＣとへＢＴ接続を行い、それぞれと通信接続を確立する。
【００１４】
次に、図５に基づき、実施の形態１に係る通信システム１の機能について説明する。図５は、実施の形態１に係る通信システム１の機能を示す機能ブロック図である。通信システム１は、リスト情報記憶装置１００と複数の通信端末２００とを備える。図５には、複数の通信端末２００の１つの通信端末２００のみ示している。
【００１５】
まず、リスト情報記憶装置１００について説明する。
リスト情報記憶装置１００は、リスト情報記憶部１１０、機器通信部１２０、記憶装置１６０、第１通信装置１７０を備える。
リスト情報記憶部１１０は、相互通信を行う複数の通信端末２００の情報をリスト情報１９０として記憶装置１６０に記憶する。機器通信部１２０は、第１通信装置１７０により第１通信方法１０で通信端末２００と通信する。記憶装置１６０は、例えば、ＲＡＭ９１４、ＲＯＭ９１３、磁気ディスク装置９２０等であり、リスト情報１９０等の情報が記憶される。第１通信装置１７０は、例えば、ＩＣカードの読取書込部、ＩＣカードリーダ等である。つまり、第１通信方法１０は、例えば、ＮＦＣ等である。
すなわち、リスト情報記憶装置１００は、例えば、ＩＣカードであり、通信端末２００が備えるＩＣカードリーダと通信する。
【００１６】
次に、通信端末２００について説明する。
通信端末２００は、第１通信部２１０、第２通信部２２０、通信判定部２３０、第１通信装置２６０、第２通信装置２７０、記憶装置２８０、処理装置２９０を備える。
第１通信部２１０は、リスト情報記憶装置１００の機器通信部１１０を介して第１通信方法１０で第１通信装置２６０により通信し、リスト情報記憶部１００が記憶したリスト情報１９０を第１通信装置２６０（読取装置）により読み取る。第２通信部２２０は、第１通信部２１０が読み取ったリスト情報が示す通信端末２００との通信接続を第２通信装置２７０により第１通信方法１０と異なる第２通信方法２０で確立する。通信判定部２３０は、リスト情報１９０が示す通信端末２００が第２通信方法２０で通信可能であるか否かを処理装置２９０により判定する。第１通信装置２６０は、リスト情報記憶装置１００が備える第１通信装置１７０と対をなす装置であり、例えば、ＩＣカードに対するＩＣカードリーダ等である。第２通信装置２７０は、第１通信方法１０であるＮＦＣとは異なるＢＴ通信等を行うＢＴ通信装置等である。つまり、第２通信方法２０は、例えば、ＢＴや無線ＬＡＮ等である。記憶装置２８０は、リスト情報記憶装置１００が備える記憶装置１６０と同様に、例えば、ＲＡＭ９１４、ＲＯＭ９１３、磁気ディスク装置９２０等であり、読み取ったリスト情報１９０等の情報を記憶する。処理装置２９０は、ＣＰＵ９１１等の装置である。
すなわち、通信端末２００は、例えば、ＩＣカードリーダを備えた携帯電話等であり、ＩＣカードであるリスト情報記憶装置１００と通信して、リスト情報１９０を読み取る。また、通信端末２００は、読み取ったリスト情報１９０に基づき、他の通信端末２００とＢＴ通信等を行う。
【００１７】
次に、図６に基づき、実施の形態１に係る通信システム１の動作について説明する。図６は、実施の形態１に係る通信システム１の動作を示すフローチャートである。
まず、第１通信処理（Ｓ１０１）では、リスト情報記憶装置１００の機器通信部１２０と、複数の通信端末２００のいずれかの通信端末２００の第１通信部２１０とは、第１通信方法１０で通信する。そして、通信端末２００の第１通信部２１０は、リスト情報記憶装置１００の記憶装置１６０からリスト情報１９０を読み取り、通信端末２００の記憶装置２８０に記憶する。
次に、通信判定処理（Ｓ１０２）では、（Ｓ１０１）でリスト情報１９０を読み取った通信端末２００の通信判定部２３０は、読み取ったリスト情報１９０が示す自端末以外の通信端末２００が第２通信方法２０で通信可能状態であるか否かを判定する。通信判定部２３０は、例えば、第２通信方法２０がＢＴ通信である場合には、ｉｎｑｕｉｒｙコマンドを発行し、近傍にあるＢＴ通信可能な通信端末２００を捜査する。そして、通信判定部２３０は、発見されたＢＴ通信可能な通信端末２００が、リスト情報１９０が示す通信端末２００であるか否かを判定する。
そして、第２通信処理（Ｓ１０３）では、（Ｓ１０１）でリスト情報１９０を読み取った通信端末２００の第２通信部２２０は、通信可能であると通信判定部２３０が判定した通信端末２００との通信接続を第２通信方法２０で確立する。第２通信部２２０は、例えば、第２通信方法２０がＢＴ通信である場合には、ＢＴ接続（Ｐａｇｅ）する。ここで、Ｐａｇｅとは、ページ信号を通信可能であると判定された通信端末２００へ送信し、応答を受けＢＴ接続を確立することをいう。
【００１８】
つまり、実施の形態１に係る通信システム１の通信方法は、所定の機器と複数の通信端末とを備える通信システムの通信方法において、
上記所定の機器と上記複数の通信端末の所定の通信端末とが第１通信方法１０で通信し、上記所定の機器が記憶した相互通信を行う通信端末のリスト情報を上記所定の通信端末が読み取る第１通信ステップと、
上記所定の通信端末が、第２通信方法２０で上記第１通信ステップで読み取ったリスト情報が示す通信端末との通信接続を確立する第２通信ステップと
を備えることを特徴とする。
【００１９】
また、実施の形態１に係る通信システム１の通信方法は、さらに、
上記所定の通信端末が、上記リスト情報が示す通信端末が上記第２通信方法２０で通信可能であるか否かを判定する通信判定ステップを備え、
上記第２通信ステップでは、通信可能であると上記通信判定ステップで判定した場合、上記第２通信方法２０で上記端末との通信接続を確立する
ことを特徴とする。
【００２０】
また、実施の形態１に係る通信システム１の通信方法は、
ＩＣカードに２台以上の接続先リストを保有し、それぞれカードリーダを配する前記リスト中の端末の１台に前記ＩＣカードをかざすと、該端末は前記リスト中にある端末に第２の無線通信による接続が可能かどうかを捜査し、接続可能な端末と第２の無線通信による接続をすることを特徴とする。
【００２１】
実施の形態１に係る通信システム１によれば、ＮＦＣを利用することで、簡単な操作により、複数の通信端末２００間でＢＴ等の無線システムによる無線接続を確立することができる。つまり、予めＢＴ通信を行いたい通信端末２００をＩＣカード等に登録しておき、登録されている通信端末２００の内の１つの通信端末２００にＩＣカードをかざすことで、予め登録しておいた通信端末２００間でＢＴ通信を行うことが可能である。
【００２２】
実施の形態２．
まず、図７に基づき、実施の形態２に係る通信システム１の概要を説明する。図７は、実施の形態２に係る通信システム１の概要を示す図である。
実施の形態１では、１台の通信端末２００にＩＣカード（リスト情報記憶装置１００）をかざしたのに対し、実施の形態２では接続を所望する全ての通信端末２００にＩＣカードをかざすことにより、ＩＣカードをかざされた全ての通信端末２００間での通信接続状態を確立する。
図７において、通信端末Ａ２００Ａ、通信端末Ｂ２００Ｂ及び通信端末Ｃ２００Ｃは、ＩＣカードをかざされると、リスト情報１９０を読み取り、ＢＴをＯＮ（ＢＴでの通信可能状態）にする。次に、ＩＣカードをかざされた通信端末Ａ２００Ａ、通信端末Ｂ２００Ｂ及び通信端末Ｃ２００Ｃは、相互にｉｎｑｕｉｒｙコマンドを発行する。存在を確認した通信端末２００の内、リスト情報１９０の最上位にある通信端末２００がＢＴのマスターとなり、他の通信端末２００へのＢＴ接続を確立する。
【００２３】
実施の形態２に係る通信システム１の機能の構成は、実施の形態１に係る通信システム１の機能の構成と同様である。そこで、実施の形態２に係る通信システム１の機能について、実施の形態１に係る通信システム１の機能と異なる部分についてのみ説明する。
リスト情報記憶装置１００が備えるリスト情報記憶部１１０は、通信端末２００毎に順位付けされたリスト情報１９０を記憶装置１６０に記憶する。
通信端末２００が備える第２通信部２２０は、第１通信部２１０がリスト情報１９０を読み取った場合、第２通信方法２０で通信可能状態とする。また、第２通信部２２０は、リスト情報１９０において自端末が最上位に順位付けされている場合、第２通信方法２０でリスト情報１９０が示す通信端末２００との通信接続を確立する。
【００２４】
次に、図８に基づき、実施の形態２に係る通信システム１の動作について説明する。図８は、実施の形態２に係る通信システム１の動作を示すフローチャートである。
まず、第１通信処理（Ｓ２０１）では、リスト情報記憶装置１００の機器通信部１２０と、複数の通信端末２００の各通信端末２００の第１通信部２１０とは、第１通信方法１０で通信する。そして、各通信端末２００の第１通信部２１０は、リスト情報記憶装置１００の記憶装置１６０からリスト情報１９０を読み取り、通信端末２００の記憶装置２８０に記憶する。
ここで、実施の形態２において、リスト情報記憶装置１００の記憶装置１６０には、通信端末毎に順位付けされたリスト情報１９０を記憶している。したがって、第１通信部２１０は、通信端末毎に順位付けされたリスト情報１９０を読み取る。
次に、第２通信処理（１）（Ｓ２０２）では、（Ｓ２０１）でリスト情報１９０を読み取った通信端末２００の第２通信部２２０は、第２通信方法２０で通信可能状態とする。第２通信部２２０は、例えば、第２通信方法２０がＢＴ通信である場合には、ＢＴの電源をＯＮする。
次に、通信判定処理（Ｓ２０３）では、各通信端末２００の通信判定部２３０は、実施の形態１の（Ｓ１０２）と同様の動作をする。つまり、各通信端末２００間で相互に第２通信方法２０で通信可能か否かを確認する。
次に、第２通信処理（２）（Ｓ２０４）では、（Ｓ２０１）でリスト情報１９０を読み取った通信端末２００の第２通信部２２０は、読み取ったリスト情報１９０において最上位に順位付けされているか否かを処理装置２９０により判定する。最上位に順位付けされていると第２通信部２２０が判定した場合（Ｓ２０４でＹｅｓ）、（Ｓ２０５）へ進む。一方、最上位に順位付けされていないと第２通信部２２０が判定した場合（Ｓ２０４でＮｏ）、処理を終了し、ＢＴ接続されるのを待つ。
次に、第２通信処理（３）（Ｓ２０５）では、リスト情報１９０において最上位に順位付けされていると判定した通信端末２００の第２通信部２２０は、通信可能であると通信判定部２３０が判定した通信端末２００との通信接続を第２通信方法２０で確立する。
【００２５】
ここで、（Ｓ２０３）において、各通信端末２００の通信判定部２３０は、例えば、所定の間隔毎に、所定の時間が経過するまで繰り返し実施の形態１の（Ｓ１０２）と同様の動作をする。また、リスト情報１９０において最上位に順位付けされていると判定した通信端末２００の第２通信部２２０は、例えば、所定の間隔毎に、所定の時間が経過するまで通信接続の確立を繰り返し行う。このようにすることにより、最上位に順位付けされている通信端末２００よりも後にＩＣカードがかざされた通信端末２００とも通信接続の確立をすることが可能である。
【００２６】
つまり、実施の形態２に係る通信システム１の通信方法は、実施の形態１に係る通信システム１の通信方法に加え、さらに、
上記第１通信ステップでは、上記所定の機器と上記複数の通信端末の各通信端末とが順次第１通信方法１０で通信し、通信端末毎に順位付けされたリスト情報を上記各通信端末が読み取り、
上記第２通信ステップでは、上記各通信端末が上記第２通信方法２０で通信可能状態とし、上記リスト情報において最上位に順位付けされている通信端末が上記第２通信方法２０で上記リスト情報が示す他の通信端末との通信接続を確立する
ことを特徴とする。
【００２７】
また、実施の形態２に係る通信システム１の通信方法は、
ＩＣカードに２台以上の接続先リストを保有し、それぞれカードリーダを配する前記リスト中の第２の無線通信による接続を所望する端末に、前記ＩＣカードをかざすことにより、ＩＣカードをかざされた端末の第２の無線通信を活性化し、各当該端末は前記リスト中にある端末に第２の無線通信による接続が可能かどうかを捜査し、接続可能な端末と第２の無線通信による接続をすることを特徴とする。
【００２８】
実施の形態２に係る通信システム１によれば、実施の形態１と同様に、ＮＦＣを利用することで、簡単な操作により、複数の通信端末２００間でＢＴ等の無線システムによる無線接続を確立することができる。
【００２９】
実施の形態３．
まず、図９に基づき、実施の形態３に係る通信システム１の概要を説明する。図９は、実施の形態３に係る通信システム１の概要を示す図である。
実施の形態１及び実施の形態２では事前にＩＣカード（リスト情報記憶装置１００）に用意されたリスト情報１９０を使用したのに対し、実施の形態３では、ＩＣカードを通信端末２００にかざす度にリスト情報にその通信端末２００の情報を追加生成し、順次通信接続を確立する。
【００３０】
図９において、通信端末Ａ２００Ａ、通信端末Ｂ２００Ｂ及び通信端末Ｃ２００Ｃはそれぞれ、ＩＣカードリーダライタ２６１Ａ（第１通信装置２６０の一例）、ＩＣカードリーダライタ２６１Ｂ（第１通信装置２６０の一例）、ＩＣカードリーダライタ２６１Ｃ（第１通信装置２６０の一例）を備え、ＩＣカードのリスト情報１９０へ追加書き込みを可能としている。
まず、通信端末Ａ２００ＡにＩＣカードをかざすと、ＩＣカードリーダライタ２６１ＡはＩＣカードのリスト情報１９０に自端末のＢＴアドレスを書き込む。通信端末Ａ２００Ａは、リスト情報１９０に他の通信端末２００の情報を発見しないので、ＢＴをＯＮして待機する。
次に、通信端末Ｂ２００ＢにＩＣカードをかざすと、ＩＣカードリーダライタ２６１ＢはＩＣカードのリスト情報１９０の末尾に自端末のＢＴアドレスを追記する。通信端末Ｂ２００Ｂはリスト中に通信端末Ａ２００Ａを発見するので、通信端末Ａ２００Ａに対してＢＴ接続（Ｐａｇｅ）を行う。これで通信端末Ａ２００Ａと通信端末Ｂ２００Ｂとは接続状態となる。
さらに、通信端末Ｃ２００ＣにＩＣカードをかざすと、リスト情報１９０の末尾に自端末のＢＴアドレスを書き込む。通信端末Ｃ２００Ｃはリスト情報１９０に通信端末Ａ２００Ａと通信端末Ｂ２００Ｂとを発見するので、双方に接続を行う。
ここで、接続を受けた通信端末Ｂ２００Ｂは自身で確立した通信接続の切断を行う。その結果、通信端末Ｃ２００Ｃが形成したネットワークだけが残る。さらに通信端末が追加された場合であっても同様に動作する。
【００３１】
次に、図１０に基づき、実施の形態３に係る通信システム１の機能について説明する。図１０は、実施の形態３に係る通信システム１の機能を示す機能ブロック図である。実施の形態３に係る通信システム１の機能は、実施の形態１に係る通信システム１の機能と概ね同様である。そこで、実施の形態１に係る通信システム１の機能と異なる部分のみ説明する。
【００３２】
リスト情報記憶装置１００については実施の形態１のリスト情報記憶装置１００と同様である。
通信端末２００は、実施の形態１の通信端末２００の機能に加え、第２通信切断部２４０を備える。また、通信端末２００が備える第１通信部２１０は、リスト情報１９０を読み出すとともに、自端末の情報をリスト情報記憶部１１０が記憶したリスト情報１９０に第１通信装置２６０（書込装置）により追加する。
第２通信切断部２４０は、他の通信端末２００により第２通信方法２０で通信接続が確立された場合、自ら確立した第２通信方法２０での通信接続を処理装置２９０により切断する。つまり、自端末がマスターとなってＢＴ接続している場合に、他の通信端末２００がマスターとなってＢＴ接続してきた場合、自端末がマスターとなっているＢＴ接続を切断する。
【００３３】
次に、図１１に基づき、実施の形態３に係る通信システム１の動作について説明する。図１１は、実施の形態３に係る通信システム１の動作を示すフローチャートである。
まず、第１通信処理（１）（Ｓ３０１）では、リスト情報記憶装置１００の機器通信部１２０と、複数の通信端末２００のいずれかの通信端末２００の第１通信部２１０とは、実施の形態２の（Ｓ２０１）と同様の動作をする。
次に、第１通信処理（２）（Ｓ３０２）では、複数の通信端末２００の各通信端末２００の第１通信部２１０は、リスト情報記憶装置１００の記憶装置１６０のリスト情報１９０に自端末の情報を追加する。第１通信部２１０は、例えば、リスト情報１９０の末尾に自端末の情報を追加する。
次に、通信判定処理（Ｓ３０３）では、各通信端末２００の通信判定部２３０は、実施の形態１の（Ｓ１０２）と同様の動作をする。つまり、各通信端末２００間で相互に第２通信方法２０で通信可能か否かを確認する。
次に、第２通信処理（Ｓ３０４）では、各通信端末２００の第２通信部２２０は、実施の形態１の（Ｓ１０３）と同様の動作をする。つまり、各通信端末２００の第２通信部２２０は、通信可能であると通信判定部２３０が判定した通信端末２００との通信接続を第２通信方法２０で確立する。
次に、第２通信切断処理（１）（Ｓ３０５）では、各通信端末２００の第２通信切断部２４０は、他の通信端末２００により第２通信方法２０で通信接続が確立されたか否かを処理装置２９０により判定する。第２通信切断部２４０は、例えば、他の端末から自端末へＢＴ接続がされたか否かにより、他の通信端末２００により第２通信方法２０で通信接続が確立されたか否かを判定する。他の通信端末２００により第２通信方法２０で通信接続が確立されたと第２通信切断部２４０が判定した場合（Ｓ３０５でＹｅｓ）、（Ｓ３０６）へ進む。一方、他の通信端末２００により第２通信方法２０で通信接続が確立されていないと第２通信切断部２４０が判定した場合（Ｓ３０５でＮｏ）、改めて（Ｓ３０５）を行う。（Ｓ３０５でＮｏ）の場合、第２通信切断部２４０は例えば所定の間隔を空けて改めて（Ｓ３０５）を行う。つまり、第２通信切断部２４０は自ら第２通信方法２０で通信接続を確立した場合、その後他の通信端末２００により第２通信方法２０で通信接続を確立されていないかをチェックし続ける。
そして、第２通信切断処理（２）（Ｓ３０６）では、自ら確立した第２通信方法２０での通信接続を切断する。
【００３４】
つまり、実施の形態３に係る通信システム１の通信方法は、実施の形態１に係る通信システム１の通信方法に加え、さらに、
上記第１通信ステップでは、上記所定の機器と上記複数の通信端末の各通信端末とが順次第１通信方法１０で通信し、上記各通信端末が上記リスト情報を読み出すとともに、自端末の情報を上記リスト情報に追加し、
上記第２通信ステップでは、上記各通信端末は上記第２通信方法２０で通信可能状態とするとともに、上記各通信端末は上記第２通信方法２０で上記第１通信ステップで読み取ったリスト情報に既に示された通信端末との通信接続を確立し、
上記通信方法は、さらに、
通信接続を確立した後、他の通信端末により上記第２通信方法２０で新たな通信接続が確立された場合、自ら確立した上記第２通信方法２０での通信接続を切断する第２通信切断ステップ
を備えることを特徴とする。
【００３５】
また、実施の形態３に係る通信システム１の通信方法は、
ＩＣカードを、それぞれカードリーダライタを配し、第２の無線通信を有する端末に、２台以上順次かざすことにより、ＩＣカードをかざされた該端末は自身のＩＤをＩＣカードのリストに書き込み、第２の無線通信を活性化し、ＩＣカードから読み出しを行い、すでに該リストにある端末に第２の無線通信による接続を行うことを特徴とする。
【００３６】
実施の形態３に係る通信システム１によれば、自端末がマスターであるか否かを判断することなく、第２通信方法２０で通信接続を確立できる。また、他の通信端末２００が第２通信方法２０で通信接続を確立した場合、自ら確立した第２通信方法２０での通信接続を切断するため、複数の第２通信方法２０での通信接続が存在することがない。
【００３７】
実施の形態４．
実施の形態４では、マスターとなる通信端末２００の特定を迅速にする方法の一例を説明する。
【００３８】
まず、図１２に基づき、実施の形態４に係る通信システム１の概要を説明する。図１２は、実施の形態４に係る通信システム１の概要を示す図である。
ＩＣカード（リスト情報記憶装置１００）のリスト情報１９０のマスターである通信端末２００の情報にはマスターであることを示すマークが付されている。ここで、ＩＣカードをかざされた通信端末２００は、リスト情報１９０にマスターであることを示すマークがない場合、ＩＣカードの記憶装置（記憶装置１４０）の所定の番地の読み出しを行う。上記所定の番地の読み出しをされると、ＩＣカードはリスト情報１９０の読み出しを行った通信端末２００のＢＴアドレスにマークを付する。そして、読み出しを行った通信端末２００は、マスターとなる。例えば、初めに通信端末Ａ２００Ａがリスト情報１９０の読み出しを行った場合、通信端末Ａ２００Ａがマスターとなる。実施の形態４において、ＩＣカードは所定の番地の読み出しに対応する通信端末２００のＢＴアドレスにマークを付するという動作を行うため、例えばＣＰＵ等を備えている。
次に、他の通信端末Ｂ２００Ｂや通信端末Ｃ２００ＣにＩＣカードをかざすと、リスト情報１９０のマスターとなる通信端末Ａ２００Ａのアドレスにマークが付されているので、通信端末Ｂ２００Ｂや通信端末Ｃ２００Ｃは、マスターが存在することを認識し、ＢＴをＯＮにしてマスターからの接続を待つ。
つまり、リスト情報１９０にマークを発見しなかった通信端末Ａ２００Ａは、自身がマスターであることを認識し、リスト情報１９０の他の通信端末２００を捜索し、接続を確立する。一方、リスト情報１９０にマークを発見した通信端末Ｂ２００Ｂや通信端末Ｃ２００Ｃは、自身はマスターでないことを認識し、マスターである通信端末Ａ２００Ａからの接続を待つ。
【００３９】
次に、図１３に基づき、実施の形態４に係る通信システム１の機能について説明する。図１３は、実施の形態４に係る通信システム１の機能を示す機能ブロック図である。実施の形態４に係る通信システム１の機能は、実施の形態１に係る通信システム１の機能と概ね同様である。そこで、実施の形態１に係る通信システム１の機能と異なる部分のみ説明する。
【００４０】
リスト情報記憶装置１００は、実施の形態１のリスト情報記憶装置１００に加え、識別情報変更部１３０を備える。また、リスト情報記憶装置１００が備えるリスト情報記憶部１１０は、通信接続を確立する主体となる通信端末２００（マスター）が決定されたか否かを示す識別情報（マーク）を付与したリスト情報１９０を記憶装置１６０記憶する。
識別情報変更部１３０は、リスト情報１９０を通信端末２００の第１通信部２１０が読み取った際、通信接続を確立する主体となる通信端末２００が決定されていないとリスト情報１９０に付与された識別情報が示す場合、通信接続を確立する主体となる通信端末が決定されたことを示す識別情報にリスト情報記憶部１１０が記憶したリスト情報１９０に付与された識別情報を変更する。つまり、上述した例において、識別情報変更部１３０は、リスト情報１９０にマークが付された通信端末２００が存在しないときに、ＩＣカードの記憶装置（記憶装置１４０）の所定の番地の読み出しが行われた場合、所定の番地に対応する通信端末２００の識別情報にマークを付する。
【００４１】
通信端末２００が備える第１通信部２１０は、識別情報が付与されたリスト情報１９０を読み出す。
第２通信部２２０は、第１通信部２１０がリスト情報１９０を読み取った場合、第２通信方法２０で通信可能状態とする。また、第２通信部２２０は、通信接続を確立する通信端末が決定されていないと第１通信部２１０が読み出したリスト情報１９０に付与された識別情報が示す場合、第２通信方法２０でリスト情報１９０が示す他の通信端末２００との通信接続を確立する。
【００４２】
次に、図１４に基づき、実施の形態４に係る通信システム１の動作について説明する。図１４は、実施の形態４に係る通信システム１の動作を示すフローチャートである。
まず、第１通信処理（Ｓ４０１）では、リスト情報記憶装置１００の機器通信部１２０と、複数の通信端末２００のいずれかの通信端末２００の第１通信部２１０とは、実施の形態２の（Ｓ２０１）と同様の動作をする。ここでは、第１通信部２１０は、識別情報が付与されたリスト情報１９０を読み出す。
次に、第２通信処理（２）（Ｓ４０２）では、（Ｓ４０１）でリスト情報１９０を読み取った通信端末２００の第２通信部２２０は、実施の形態２の（Ｓ２０２）と同様、第２通信方法２０で通信可能状態とする。
次に、マスター判定処理（Ｓ４０３）では、第２通信部２２０は、第１通信部２１０が読み出したリスト情報１９０に付与された識別情報に基づき、通信接続を確立する主体となる通信端末２００が決定されているか否かを判定する。通信接続を確立する主体となる通信端末２００が決定されていると第２通信部２２０が判定した場合（Ｓ４０３でＹｅｓ）、処理を終了し、通信接続を確立する主体となる通信端末２００から通信接続が確立されることを待つ。一方、通信接続を確立する主体となる通信端末が決定されていないと第２通信部２２０が判定した場合（Ｓ４０３でＮｏ）、自身が通信接続を確立する主体となる通信端末２００であると判断し、（Ｓ４０４）へ進む。ここでは、通信端末２００が通信接続を確立する主体となる通信端末２００が決定されているか否かを判定した。しかし、これに限られず、リスト情報記憶装置１００が通信接続を確立する主体となる通信端末２００が決定されているか否かを判定するとしても構わない。また、通信端末２００とリスト情報記憶装置１００とのいずれもが通信接続を確立する主体となる通信端末２００が決定されているか否かを判定するとしても構わない。
次に、識別情報変更処理（Ｓ４０４）では、識別情報変更部１３０は、通信接続を確立する通信端末が決定されていない場合には、通信接続を確立する主体となる通信端末が決定されたことを示す識別情報にリスト情報記憶部１１０が記憶したリスト情報１９０に付与された識別情報を変更する。識別情報変更部１３０は、上述したように、リスト情報１９０を読み込んだ通信端末２００が通信接続を確立する主体となる通信端末２００であることが識別できる識別情報を付与しても構わない。
次に、通信判定処理（Ｓ４０５）では、各通信端末２００の通信判定部２３０は、実施の形態１の（Ｓ１０２）と同様の動作をする。
次に、第２通信処理（２）（Ｓ４０６）では、通信接続を確立する主体となる通信端末２００の第２通信部２２０は、通信可能であると通信判定部２３０が判定した通信端末２００との通信接続を第２通信方法２０で確立する。
【００４３】
つまり、実施の形態４に係る通信システム１の通信方法は、実施の形態１に係る通信システム１の通信方法に加え、さらに、
上記第１通信ステップでは、上記所定の機器と上記複数の通信端末の各通信端末とが順次第１通信方法１０で通信し、通信接続を確立する通信端末が決定されているか否かを示す識別情報を付与されたリスト情報を上記各通信端末が読み出し、
上記第２通信ステップでは、上記各通信端末が上記第２通信方法２０で通信可能状態とするとともに、通信接続を確立する通信端末が決定されていないと上記第１通信ステップで読み込んだリスト情報に付与された識別情報が示す場合、上記第２通信方法２０で上記リスト情報が示す他の端末との通信接続を確立する
ことを特徴とする。
【００４４】
さらに、実施の形態４に係る通信システム１の通信方法は、
上記第１通信ステップでは、通信端末が上記リスト情報を読み込んだ際、通信接続を確立する通信端末が決定されていないとリスト情報に付与された識別情報が示す場合、上記所定の機器がリスト情報に付与された識別情報を通信接続を確立する端末が決定されていることを示す識別情報に変更する
ことを特徴とする。
【００４５】
また、実施の形態４に係る通信システム１の通信方法は、
ＩＣカードに２台以上の接続先リストを保有し、それぞれカードリーダを配する前記リスト中の第２の無線通信による接続を所望する端末に、前記ＩＣカードをかざすことにより、該カードリーダはＩＣカードの特定の番地を読み出し、これによりＩＣカードは最初の読み出しに対応する端末をリスト上にマークし、かつＩＣカードをかざされた全ての端末の第２の無線通信を活性化し、読み出したリスト中にマークのない当該端末は前記リスト中にある端末に第２の無線通信による接続が可能かどうかを捜査し、接続可能な端末と第２の無線通信による接続をすることを特徴とする。
【００４６】
実施の形態４に係る通信システム１によれば、識別情報に基づき、容易にマスターである通信端末２００を判断できるため、複数の通信端末２００が通信接続を確立するという無駄が生じない。また、リスト情報記憶装置１００の記憶装置１６０に識別情報を書き込むのが、リスト情報記憶装置１００が有する機能であるため、通信端末２００はリスト情報記憶装置１００へ情報の書き込みを行うＩＣカードライタ等の書込装置を備える必要がない。つまり、通信端末２００はリスト情報記憶装置１００から情報を読み取るＩＣカードリーダ等の読込装置のみを備えれば足りる。
【００４７】
実施の形態５．
実施の形態４では、ＩＣカード（リスト情報記憶装置１００）自身が識別情報の変更を行った。実施の形態５では、通信端末２００が識別情報の変更を行う。
【００４８】
まず、実施の形態３に係る通信システム１の概要の説明に使用した図９に基づき、実施の形態５に係る通信システム１の概要を説明する。
実施の形態３において、通信端末２００は、ＩＣカードのリスト情報１９０に書き込みをした。実施の形態５においても同様に、ＩＣカードのリスト情報１９０に書き込みをし、そのリスト情報１９０に基づき通信接続を確立する。
ＩＣカード（リスト情報記憶装置１００）のリスト情報１９０のマスターである通信端末２００の情報にはマスターであることを示すマークが付されている。ここで、ＩＣカードをかざされた通信端末２００は、リスト情報１９０にマスターであることを示すマークがない場合、通信端末２００のＩＣカードリーダライタ２６１はＩＣカードのリスト情報１９０の自身のアドレスにマークを付する。そして、読み出しを行った通信端末２００は、マスターとなる。例えば、初めに通信端末Ａ２００Ａがリスト情報１９０の読み出しを行った場合、通信端末Ａ２００Ａがマスターとなる。
次に、他の通信端末Ｂ２００Ｂや通信端末Ｃ２００ＣにＩＣカードをかざすと、通信端末Ｂ２００Ｂや通信端末Ｃ２００Ｃは、リスト情報１９０のマスターとなる通信端末Ａ２００Ａのアドレスにマークが付されているので、通信端末Ｂ２００Ｂや通信端末Ｃ２００Ｃは、マスターが存在することを認識し、ＢＴをＯＮにしてマスターからの接続を待つ。そして、通信端末Ａ２００Ａは、通信端末Ｂ２００Ｂ及び通信端末Ｃ２００Ｃに接続する。
つまり、リスト情報１９０にマークを発見しなかった通信端末Ａ２００Ａは、自身がマスターであることを認識し、リスト情報１９０の他の通信端末２００を捜索し、接続を確立する。一方、リスト情報１９０にマークを発見した通信端末Ｂ２００Ｂや通信端末Ｃ２００Ｃは、自身はマスターでないことを認識し、マスターである通信端末Ａ２００Ａからの接続を待つ。
【００４９】
次に、図５に基づき、実施の形態５に係る通信システム１の機能について説明する。実施の形態５に係る通信システム１の機能の構成は、実施の形態１に係る通信システム１の機能の構成と同様である。実施の形態５に係る通信システム１の機能について、実施の形態１に係る通信システム１の機能と異なる部分のみ説明する。
【００５０】
リスト情報記憶装置１００については実施の形態１のリスト情報記憶装置１００と同様である。
通信端末２００が備える第１通信部２１０は、識別情報が付与されたリスト情報１９０を読み出す。また、第１通信部２１０は、通信接続を確立する主体となる通信端末が決定されていないと読み出したリスト情報１９０に付与された識別情報が示す場合、通信接続を確立する主体となる通信端末が決定されたことを示す識別情報にリスト情報記憶部１１０が記憶したリスト情報１９０に付与された識別情報を変更する。
【００５１】
次に、図１５に基づき、実施の形態５に係る通信システム１の動作について説明する。図１５は、実施の形態５に係る通信システム１の動作を示すフローチャートである。
第１通信処理（１）（Ｓ５０１）からマスター判定処理（Ｓ５０３）までは、実施の形態４の（Ｓ４０１）から（Ｓ４０３）までと同様である。
次に、第１通信処理（２）（Ｓ５０４）では、第１通信部２１０は、通信接続を確立する通信端末が決定されていない場合には、通信接続を確立する主体となる通信端末が決定されたことを示す識別情報にリスト情報記憶部１１０が記憶したリスト情報１９０に付与された識別情報を変更する。第１通信部２１０は、実施の形態４の識別情報変更部１３０と同様に、リスト情報１９０を読み込んだ通信端末２００が通信接続を確立する主体となる通信端末２００であることが識別できる識別情報を付与しても構わない。
通信判定処理（Ｓ５０５）と第２通信処理（２）（Ｓ５０６）とはそれぞれ、実施の形態４の（Ｓ４０５）と（Ｓ４０６）と同様である。
【００５２】
つまり、実施の形態５に係る通信システム１の通信方法は、実施の形態４に係る通信システム１の通信方法に加え、さらに、
上記第１通信ステップでは、通信接続を確立する通信端末が決定されていないとリスト情報に付与された識別情報が示す場合、上記リスト情報を読み込んだ通信端末がリスト情報に付与された識別情報を通信接続を確立する端末が決定されていることを示す識別情報に変更する
ことを特徴とする。
【００５３】
また、実施の形態５に係る通信システム１の通信方法は、
実施の形態３で生成されたリストを使用し、最初にかざされた端末に当該端末のリーダライタがマークし実施の形態４と同等の方法で第２の無線通信による接続をすることを特徴とする。
【００５４】
実施の形態５に係る通信システム１によれば、実施の形態４と同様に、識別情報に基づき、容易にマスターである通信端末２００を判断できるため、複数の通信端末２００が通信接続を確立するという無駄が生じない。また、リスト情報記憶装置１００の記憶装置１６０に識別情報を書き込むのが、通信端末２００が有する機能であるため、リスト情報記憶装置１００はＣＰＵ等の処理装置を備える必要がない。
【００５５】
実施の形態６．
実施の形態６では、図１６に示すように、ＩＣカードリーダライタ（第３通信装置３３０の一例）等を備えるリスト情報登録装置３００を用い、ＩＣカード（リスト情報記憶装置１００の一例）に通信接続を共有する通信端末２００のアドレスや暗号鍵等の情報を書き込む。
【００５６】
次に、図１７に基づき、実施の形態６に係る通信システム１の機能について説明する。図１７は、実施の形態６に係る通信システム１の機能を示す機能ブロック図である。
【００５７】
リスト情報登録装置３００は、リスト情報送信部３１０、リスト情報登録部３２０、第３通信装置３３０、記憶装置３４０、入力装置３５０を備える。
リスト情報送信部３１０は、リスト情報１９０をリスト情報記憶装置１００へ第３通信装置３３０により送信する。リスト情報登録部３２０は、入力装置３５０によりリスト情報１９０を入力して記憶装置３４０に記憶する。第３通信装置３３０は、例えば、ＩＣカードの読取書込部、ＩＣカードリーダライタ等である。記憶装置３４０は、例えば、ＲＡＭ９１４、ＲＯＭ９１３、磁気ディスク装置９２０等である。入力装置３５０は、キーボード９０２等である。
つまり、リスト情報登録装置３００は、例えば、ＰＣ等のコンピュータであり、キーボード９０２等によりリスト情報１９０を入力して、磁気ディスク装置９２０等に記憶する。そして、リスト情報登録装置３００は、磁気ディスク装置９２０等に記憶したリスト情報１９０を、ＩＣカードリーダライタ等を介してＩＣカードであるリスト情報記憶装置１００へ送信する。
【００５８】
リスト情報記憶装置１００は、実施の形態１のリスト情報記憶装置１００に加え、リスト情報受信部１４０、第３通信装置１８０を備える。
リスト情報受信部１４０は、リスト情報送信部３１０が送信したリスト情報１９０を第３通信装置により受信する。第３通信装置１８０は、リスト情報登録装置３００が備える第３通信装置３３０と対をなす装置であり、例えば、ＩＣカードリーダに対するＩＣカード等である。
【００５９】
次に、図１８に基づき、実施の形態６に係る通信システム１の動作について説明する。図１８は、実施の形態６に係る通信システム１の動作を示すフローチャートである。
まず、リスト情報登録処理（Ｓ６０１）では、リスト情報登録装置３００のリスト情報登録部３２０は、入力装置３５０によりリスト情報１９０を入力して記憶装置３４０に記憶する。
次に、リスト情報送信処理（Ｓ６０２）では、リスト情報登録装置３００のリスト情報送信部３１０は、記憶装置３４０に記憶したリスト情報１９０をリスト情報記憶装置１００へ第３通信装置３３０により送信する。
次に、リスト情報受信処理（Ｓ６０３）では、リスト情報記憶装置１００のリスト情報受信部１４０は、リスト情報送信部３１０が送信したリスト情報１９０を第３通信装置１８０により受信する。
そして、リスト情報記憶処理（Ｓ６０４）では、リスト情報記憶装置１００のリスト情報記憶部１１０は、リスト情報受信部１４０が受信したリスト情報１９０を記憶装置１６０に記憶する。
【００６０】
つまり、実施の形態６に係る通信システム１の通信方法は、
上述した実施の形態のＩＣカードのリスト情報１９０をＩＣカードリスト登録機により作成することを特徴とする。
【００６１】
実施の形態６に係る通信システム１によれば、リスト情報１９０をコンピュータにより予めＩＣカード等のリスト情報記憶装置１００に登録しておくことが可能である。また、リスト情報１９０の編集も容易に行うことができる。
【００６２】
実施の形態７．
まず、図１９に基づき、実施の形態７に係る通信システム１の概要を説明する。図１９は、実施の形態７に係る通信システム１の概要を示す図である。
実施の形態７では、上述した実施の形態とは異なり、ＩＣカードリーダライタ（リスト情報記憶装置１００）をトークンとし、各通信端末２００がＩＣカードを備える。通信端末Ａ２００ＡをＩＣカードリーダライタにかざすと、ＩＣカードリーダライタは通信端末Ａ２００ＡのＩＣカード２６２Ａへリストの書き込みを行う。書き込みを受けるとＩＣカード２６２ＡはＣＰＵへの割り込みを上げ、制御アプリケーションが起動される。制御アプリケーションは、ＢＴをＯＮにし、他の通信端末の探索を行う。
通信端末Ｂ２００Ｂ及び通信端末Ｃ２００ＣをＩＣカードリーダライタにかざした場合同様に動作する。探索により発見された通信端末２００のうちリスト情報１９０の最上位にある通信端末２００がマスターとなって接続を確立する。
【００６３】
次に、図２０に基づき、実施の形態７に係る通信システム１の機能について説明する。図２０は、実施の形態７に係る通信システム１の機能を示す機能ブロック図である。実施の形態７に係る通信システム１の機能は、実施の形態１に係る通信システム１の機能と概ね同様である。そこで、実施の形態１に係る通信システム１の機能と異なる部分のみ説明する。
【００６４】
リスト情報記憶装置１００は、実施の形態１のリスト情報記憶装置１００の機能に加え、リスト情報書込み部１５０を備える。リスト情報書込み部１５０は、機器通信部１２０を介して通信端末２００と通信し、リスト情報記憶部１１０が記憶装置１６０に記憶したリスト情報１９０を通信端末２００の記憶装置２８０へ書き込みする。
通信端末２００は、実施の形態１の通信端末２００の機能に加え、書込認識部２５０を備える。書込認識部２５０は、第１通信部２１０を介してリスト情報書込み部１５０によりリスト情報１９０を記憶装置２８０に書き込みされたことを認識する。
【００６５】
次に、図２１に基づき、実施の形態７に係る通信システム１の動作について説明する。図２１は、実施の形態７に係る通信システム１の動作を示すフローチャートである。
まず、第１通信処理（Ｓ７０１）では、リスト情報記憶装置１００の機器通信部１２０と、複数の通信端末２００の各通信端末２００の第１通信部２１０とは、第１通信方法１０で通信する。
次に、リスト情報書込み処理（Ｓ７０２）では、リスト情報記憶装置１００のリスト情報書込み部１５０は、リスト情報記憶部１１０が記憶装置１６０に記憶したリスト情報１９０を通信端末２００の記憶装置２８０へ書き込みする。
次に、書込認識処理（Ｓ７０３）では、通信端末２００の書込認識部２５０は、リスト情報１９０を記憶装置２８０に書き込みされたことを認識する。
次に、通信判定処理（Ｓ７０４）では、各通信端末２００の通信判定部２３０は、リスト情報が記憶されたことを上記書込認識部が認識した場合、実施の形態１の（Ｓ１０２）と同様の動作をする。
そして、第２通信処理（Ｓ７０５）では、通信端末２００の第２通信部２２０は、通信可能であると通信判定部２３０が判定した通信端末２００との通信接続を第２通信方法２０で確立する。
【００６６】
つまり、実施の形態７に係る通信システム１の通信方法は、
ＩＣカードリーダライタに前記接続リスト格納用のメモリを配し、端末にはＩＣカードと第２の無線通信を配し、前記ＩＣカードリーダライタは、端末をかざされると該端末のＩＣカードに前記接続リストの書き込みを端末に行い、書き込みを受けた端末は、書き込みを受けたことにより第２の無線通信を活性化し、前記接続リストにより、第２の無線通信をもて近傍を捜査し、発見した端末と第２の無線通信接続を行うことを特徴とする。
【００６７】
実施の形態７に係る通信システム１によれば、上述した実施の形態と同様の効果を得ることができる。
【００６８】
上記実施の形態では、第２通信方法２０としてＢＴを例に説明を行ったが、これに限られるわけではなく、無線ＬＡＮ等であっても構わない。
【図面の簡単な説明】
【００６９】
【図１】実施の形態における通信システム１の外観の一例を示す図。
【図２】実施の形態におけるリスト情報記憶装置１００のハードウェア資源の一例を示す図。
【図３】実施の形態における通信端末２００、リスト情報登録装置３００のハードウェア資源の一例を示す図。
【図４】実施の形態１に係る通信システム１の概要を示す図。
【図５】実施の形態１に係る通信システム１の機能を示す機能ブロック図。
【図６】実施の形態１に係る通信システム１の動作を示すフローチャート。
【図７】実施の形態２に係る通信システム１の概要を示す図。
【図８】実施の形態２に係る通信システム１の動作を示すフローチャート。
【図９】実施の形態３に係る通信システム１の概要を示す図。
【図１０】実施の形態３に係る通信システム１の機能を示す機能ブロック図。
【図１１】実施の形態３に係る通信システム１の動作を示すフローチャート。
【図１２】実施の形態４に係る通信システム１の概要を示す図。
【図１３】実施の形態４に係る通信システム１の機能を示す機能ブロック図。
【図１４】実施の形態４に係る通信システム１の動作を示すフローチャート。
【図１５】実施の形態５に係る通信システム１の動作を示すフローチャート。
【図１６】実施の形態６係る通信システム１の概要を示す図。
【図１７】実施の形態６に係る通信システム１の機能を示す機能ブロック図。
【図１８】実施の形態６に係る通信システム１の動作を示すフローチャート。
【図１９】実施の形態７に係る通信システム１の概要を示す図。
【図２０】実施の形態７に係る通信システム１の機能を示す機能ブロック図。
【図２１】実施の形態７に係る通信システム１の動作を示すフローチャート。
【符号の説明】
【００７０】
１０  第１通信方法、２０  第２通信方法、１００  リスト情報記憶装置、１１０  リスト情報記憶部、１２０  機器通信部、１３０  識別情報変更部、１４０  リスト情報受信部、１５０  リスト情報書込み部、１６０，２８０  記憶装置、１７０  第１通信装置、１８０，３３０  第３通信装置、１９０  リスト情報、２００  通信端末、２１０  第１通信部、２２０  第２通信部、２３０  通信判定部、２４０  第２通信切断部、２５０  書込認識部、２６０  第１通信装置、２７０  第２通信装置、２９０  処理装置、３００  リスト情報登録装置、３１０  リスト情報送信部、３２０  リスト情報登録部、９０１  ＬＣＤ、９０２  Ｋ／Ｂ、９０６  ＩＣカード、９０７  携帯電話、９０８  ＰＤＡ（登録商標）、９０９  ＰＣ、９１０  サーバ、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群。
【図１】
2008153911.tif 000003
【図２】
2008153911.tif 000004
【図３】
2008153911.tif 000005
【図４】
2008153911.tif 000006
【図５】
2008153911.tif 000007
【図６】
2008153911.tif 000008
【図７】
2008153911.tif 000009
【図８】
2008153911.tif 000010
【図９】
2008153911.tif 000011
【図１０】
2008153911.tif 000012
【図１１】
2008153911.tif 000013
【図１２】
2008153911.tif 000014
【図１３】
2008153911.tif 000015
【図１４】
2008153911.tif 000016
【図１５】
2008153911.tif 000017
【図１６】
2008153911.tif 000018
【図１７】
2008153911.tif 000019
【図１８】
2008153911.tif 000020
【図１９】
2008153911.tif 000021
【図２０】
2008153911.tif 000022
【図２１】
2008153911.tif 000023